(57)【要約】      （修正有）【課題】簡易な構成でレート変換の処理時間を短縮したデータレート変換装置を提供する。【解決手段】情報記録再生装置１００は、ＴＳデータのデータレートを変換するデータレート変換部１９０を有し、ＴＳデータから動画像データに関するＴＳパケットデータを抽出し、当該抽出されたＴＳパケットデータにて構成されるエレメンタリストリーム形式の動画像データのデータレートの変換を行う。また、この情報記録再生装置１００は、ＤＶＤ１０またはＨＤ２０に記録されているＴＳデータの動画像データのデータレートの変換を行うため、当該データレートが変換された動画像データを構築するための変換後ＴＳパケットデータを生成し、ＴＳデータにおける動画像データも含む各パケットデータのデータ配列に関する特性を維持しつつ、生成された変換後ＴＳパケットデータをＴＳデータに組み込む。【選択図】図１
2006140632.tif 000002
【特許請求の範囲】
【請求項１】
圧縮符号化されている動画像データが他のデータとともに多重化されているコンテンツデータのデータレート変換装置であって、
前記コンテンツデータを取得する取得手段と、
前記取得されたコンテンツデータから前記圧縮符号化されている動画像データに属する各パケットのデータを第１動画像パケットデータとして抽出する抽出手段と、
前記抽出された各第１動画像パケットデータによって構成される動画像データのデータレートを変換し、前記圧縮符号化されている動画像データのデータレートとは異なるデータレートを有する動画像データを構築するためのパケットデータを第２動画像パケットデータとして生成する生成手段と、
前記第１動画像パケットデータが抽出される際のコンテンツデータにおける各パケットデータの再生に関する関係を維持しつつ、前記各第１動画像パケットデータが抽出されたコンテンツデータに対して、前記生成された各第２動画像パケットデータを組み込む組み込み手段と、
を備えたことを特徴とするデータレート変換装置。
【請求項２】
請求項１に記載のデータレート変換装置において、
前記生成手段が、前記圧縮符号化されている動画像データが復号化される際の復号化時刻または復号化され再生される際の再生時刻の少なくとも何れか一方の時刻を維持しつつ、前記各第２動画像パケットデータを生成し、
前記組み込み手段が、前記コンテンツデータに対して前記生成された各第２動画像パケットデータを組み込む際に、前記再生に関する関係として前記復号化時刻または再生時刻の少なくとも何れか一方の時刻を維持しつつ、前記生成された各第２動画像パケットデータを組み込むことを特徴とするデータレート変換装置。
【請求項３】
請求項２に記載のデータレート変換装置において、
前記動画像データにおける復号化時刻または再生時刻の少なくとも何れか一方の時刻の情報を有する前記第１動画像パケットデータと当該時刻の情報を有さない前記第１パケットデータがある場合に、
前記組み込み手段が、前記動画像データにおける復号化時刻または再生時刻の少なくとも何れか一方の時刻を有する第２動画像パケットデータを、当該同時刻の復号化時刻または再生時刻の少なくとも何れか一方の時刻を有する第１動画像パケットデータが配されている前記コンテンツデータにおけるパケット位置に組み込むことを特徴とするデータレート変換装置。
【請求項４】
請求項１乃至３の何れか一方に記載のデータレート変換装置において、
前記組み込み手段が、前記コンテンツデータに対して前記生成された各第２動画像パケットデータを組み込む際に、前記コンテンツデータを構築する各パケットデータの属性、配列位置および配列順の少なくとも何れか一の特性を維持しつつ、前記生成された各第２動画像パケットデータを組み込むことを特徴とするデータレート変換装置。
【請求項５】
請求項１乃至４の何れか一方に記載のデータレート変換装置において、
前記組み込み手段が、前記コンテンツデータに多重化されている前記他のデータにおけるパケットデータのデータ配列に関する特性を維持しつつ、前記生成された各第２動画像パケットデータを組み込むことを特徴とするデータレート変換装置。
【請求項６】
請求項１乃至５の何れか一項に記載のデータレート変換装置において、
前記圧縮符号化されている動画像データがＭＰＥＧ（Moving Picture Experts Group）方式の動画像データであるとともに、前記コンテンツデータがビットストリーム形式のデータある場合に、
前記抽出手段、前記生成手段および組み込み手段が、前記ビットストリーム形式のデータを構築する各パケットのデータを前記各パケットデータとして取り扱うことを特徴とするデータレート変換装置。
【請求項７】
圧縮符号化されている動画像データが他のデータとともに多重化されているコンテンツデータのデータレート変換方法であって、
前記コンテンツデータを取得する取得工程と、
前記取得されたコンテンツデータから前記圧縮符号化されている動画像データに属する各パケットのデータを第１動画像パケットデータとして抽出する抽出工程と、
前記抽出された各第１動画像パケットデータによって構成される動画像データのデータレートを変換し、前記圧縮符号化されている動画像データのデータレートとは異なるデータレートを有する動画像データを構築するためのパケットデータを第２動画像パケットデータとして生成する生成工程と、
前記第１動画像パケットデータが抽出される際のコンテンツデータにおける各パケットデータのデータ配列に関する特性を維持しつつ、前記各第１動画像パケットデータが抽出されたコンテンツデータに対して、前記生成された各第２動画像パケットデータを組み込む組み込み工程と、
を含むことを特徴とするデータレート変換方法。
【請求項８】
コンピュータによって、圧縮符号化されている動画像データが他のデータとともに多重化されているコンテンツデータのデータレート変換プログラムであって、
前記コンピュータを、
前記コンテンツデータを取得する取得手段、
前記取得されたコンテンツデータから前記圧縮符号化されている動画像データに属する各パケットのデータを第１動画像パケットデータとして抽出する抽出手段、
前記抽出された各第１動画像パケットデータによって構成される動画像データのデータレートを変換し、前記圧縮符号化されている動画像データのデータレートとは異なるデータレートを有する動画像データを構築するためのパケットデータを第２動画像パケットデータとして生成する生成手段、
前記第１動画像パケットデータが抽出される際のコンテンツデータにおける各パケットデータのデータ配列に関する特性を維持しつつ、前記各第１動画像パケットデータが抽出されたコンテンツデータに対して、前記生成された各第２動画像パケットデータを組み込む組み込み手段、
として機能させることを特徴とするデータレート変換プログラム。
【請求項９】
請求項８に記載のデータレート変換プログラムをコンピュータに読み取り可能に記録したことを特徴とする情報記録媒体。
【発明の詳細な説明】
【技術分野】
【０００１】
本発明は、テレビ放送番組などの放送または通信を介して提供されるコンテンツデータにおけるデータレートの変換に関する技術分野に属する。
【背景技術】
【０００２】
近年、動画像データを有するコンテンツデータをデジタル化する技術において、発生する膨大な情報量を圧縮して符号化するための方式が様々提案されており、その一つの方式として、デジタルビデオおよび付随するオーディオに対する符号化方式の標準規格ＩＳＯ／ＩＥＣ１３８１８（通称、「ＭＰＥＧ−２」（Moving Picture Expert Group Phase ２）というものが知られている。このＭＰＥＧ−２の規格は、インターネットなどの公衆網回線における通信やＢＳデジタル放送に代表されるテレビジョン放送など幅広い分野で採用されている。
【０００３】
一方、このＭＰＥＧ−２の規格により配信されるコンテンツデータを記録する際に、または、受信して他の装置に転送する際に、記録容量の確保または通信帯域の確保により、当該コンテンツデータの圧縮率を変換する、すなわち、当該コンテンツデータのデータレートの変換を行う技術（以下、レート変換ともいう。）が普及しつつある。また、この技術は、ＴＶ受信装置やＤＶＤレコーダなどのコンテンツデータを受信する受信装置またはコンテンツデータを記録する記録装置に、コンテンツデータのデータレートの変換を行うデータレート変換装置として組み込まれることが多くなっている。
【０００４】
従来、このようなデータレート変換装置としては、トランスポートストリームから動画像データを分離して当該分離された動画像データのデータレートを変換し、当該データレートが変換された動画像データを基のトランスポートストリームに再度多重化するものが知られている。
【０００５】
具体的には、このデータレート変換装置は、入力されたＭＰＥＧ−２形式のトランスポートストリームを動画像パケットデータと当該動画像パケットデータ以外の非削減対象、すなわち、データレートの変換の対象となっていないパケットデータとに分離し、この分離された動画像パケットデータのデータレートに関してレート変換するようになっている。また、このデータレート変換装置は、レート変換された動画像パケットデータと非削減対象のパケットデータとを多重化して再びトランスポートストリームを生成するようになっており、レート変換の処理時間を短縮するとともに、レート変換しつつ、当該レート変換されたトランスポートストリームに再生制御データなどのコンテンツデータに関する付加情報を継承させるようになっている（例えば、特許文献１）。
【０００６】
なお、トランスポートストリームとは、固定長のパケットにて動画像データ、付随するオーディオデータおよび当該各データの再生制御を行う再生制御データなどの各種データが多重化されているビットストリーム形式のコンテンツデータをいう。
【特許文献１】特開２００１−２５１６１６号公報
【発明の開示】
【発明が解決しようとする課題】
【０００７】
しかしながら、このような従来のデータレート変換装置にあっては、レート変換の処理時間を短縮することができるが、上述のように、再びトランスポートストリームを生成する際に、動画像パケットデータと当該動画像パケットデータ以外の非削減対象となっているパケットデータとを多重化するので、当該多重化するための処理時間が膨大となるとともに、その処理を簡易な機器構成によって実現することができない。
【０００８】
本発明は、上記の課題に鑑み、その一例として、レート変換のみならず、トランスポートストリームの生成が完了するまでの処理時間を短縮し、簡易な機器構成によってレート変換されたトランスポートストリームを生成することができるデータレート変換装置または情報記録再生装置を提供することにある。
【課題を解決するための手段】
【０００９】
上記の課題を解決するために、請求項１に記載の発明は、圧縮符号化されている動画像データが他のデータとともに多重化されているコンテンツデータのデータレート変換装置であって、前記コンテンツデータを取得する取得手段と、前記取得されたコンテンツデータから前記圧縮符号化されている動画像データに属する各パケットのデータを第１動画像パケットデータとして抽出する抽出手段と、前記抽出された各第１動画像パケットデータによって構成される動画像データのデータレートを変換し、前記圧縮符号化されている動画像データのデータレートとは異なるデータレートを有する動画像データを構築するためのパケットデータを第２動画像パケットデータとして生成する生成手段と、前記第１動画像パケットデータが抽出される際のコンテンツデータにおける各パケットデータの再生に関する関係を維持しつつ、前記各第１動画像パケットデータが抽出されたコンテンツデータに対して、前記生成された各第２動画像パケットデータを組み込む組み込み手段と、を備えた構成を有している。
【００１０】
また、請求項７に記載の発明は、圧縮符号化されている動画像データが他のデータとともに多重化されているコンテンツデータのデータレート変換方法であって、前記コンテンツデータを取得する取得工程と、前記取得されたコンテンツデータから前記圧縮符号化されている動画像データに属する各パケットのデータを第１動画像パケットデータとして抽出する抽出工程と、前記抽出された各第１動画像パケットデータによって構成される動画像データのデータレートを変換し、前記圧縮符号化されている動画像データのデータレートとは異なるデータレートを有する動画像データを構築するためのパケットデータを第２動画像パケットデータとして生成する生成工程と、前記第１動画像パケットデータが抽出される際のコンテンツデータにおける各パケットデータのデータ配列に関する特性を維持しつつ、前記各第１動画像パケットデータが抽出されたコンテンツデータに対して、前記生成された各第２動画像パケットデータを組み込む組み込み工程と、を含む構成を有している。
【００１１】
また、請求項８または９に記載の発明は、コンピュータによって、圧縮符号化されている動画像データが他のデータとともに多重化されているコンテンツデータのデータレート変換プログラムであって前記コンピュータを、前記コンテンツデータを取得する取得手段、前記取得されたコンテンツデータから前記圧縮符号化されている動画像データに属する各パケットのデータを第１動画像パケットデータとして抽出する抽出手段、前記抽出された各第１動画像パケットデータによって構成される動画像データのデータレートを変換し、前記圧縮符号化されている動画像データのデータレートとは異なるデータレートを有する動画像データを構築するためのパケットデータを第２動画像パケットデータとして生成する生成手段、前記第１動画像パケットデータが抽出される際のコンテンツデータにおける各パケットデータのデータ配列に関する特性を維持しつつ、前記各第１動画像パケットデータが抽出されたコンテンツデータに対して、前記生成された各第２動画像パケットデータを組み込む組み込み手段、として機能させる構成を有している。
【発明を実施するための最良の形態】
【００１２】
以下、本願の実施の形態について、図面を参照しながら説明する。
【００１３】
なお、以下に説明する実施の形態は、音声データと映像データを含むコンテンツデータの記録および読み出しが実行されるハードディスク（以下、「ＨＤ」という。）およびＤＶＤ（Digital Versatile Disc）ドライブを備えた情報記録再生装置に対して、本願のデータレート変換装置を適用した場合の実施の形態である。
【００１４】
特に、この情報記録再生装置は、パーソナルコンピュータなどの他の情報通信端末装置と通信回線を介して通信する機能を有し、ＤＶＤまたはＨＤに記録されたコンテンツデータを他の情報通信端末装置に転送するようになっており、当該コンテンツデータの送受信に関しては、ＩＥＥＥ（Institute of Electrical and Electronic Engineers）１３９４規格（正式名称は、「IEEE Std.1394-1995 IEEE Standard for a High Performance Serial Bus」である。）を用いて説明するものとする。
【００１５】
また、以下において、放送番組とは、放送波を介して各放送局から提供されるデジタルコンテンツを示し、以下に説明する実施形態では、この放送番組のデジタルデータ（以下、放送番組データという。）を用いて説明する。
【００１６】
まず、図１を用いて情報記録再生装置の全体構成および概要動作について説明する。なお、図１は、本願に係る情報記録再生装置の概要構成を示すブロック図である。
【００１７】
本実施形態の情報記録再生装置１００は、図１に示すように、各放送局から送信されたデジタル形式の放送波を受信し、当該放送波をトランスポートストリーム形式のコンテンツデータ（以下、ＴＳデータともいう。）に復調するようになっており、当該復調されたＴＳデータを、当該データ形式を保持しつつ、ＤＶＤ１０またはＨＤ２０に記録するようになっている。また、この情報記録再生装置１００は、図示しないモニタなどの外部装置に接続されており、コンテンツデータを再生する際に、ＴＳデータを復号し、当該復号されたコンテンツデータを映像信号およびオーディオ信号として外部装置に出力するようになっている。
【００１８】
一方、この情報記録再生装置１００は、ＤＶＤ１０またはＨＤ２０に記録されたＴＳデータを、通信回線を介して他の情報通信端末装置に転送するようになっている。特に、本実施形態の情報記録再生装置１００は、ＴＳデータを転送する際に、当該コンテンツデータの伝送において通信帯域の確保のため、転送するＴＳデータのデータレートを変換し、当該データレートが変換されたＴＳデータを情報通信端末装置に転送するようになっている。すなわち、本実施形態では、情報記録再生装置１００は、ＴＳデータのデータレートを変換するために、当該ＴＳデータに含まれる動画像データのデータレートの変換、すなわち、動画像データの圧縮率の変換を行い、転送するＴＳデータのデータ量を圧縮することによってデータ伝送における通信帯域の確保を実現するようになっている。
【００１９】
具体的には、本実施形態の情報記録再生装置１００は、ＴＳデータから動画像データに関するＴＳデータにおけるパケットデータ（以下、ＴＳパケットデータという。）を抽出するようになっている。そして、この情報記録再生装置１００は、抽出されたＴＳパケットデータにて構成される動画像データにおける圧縮率の変換、すなわち、抽出されたＴＳパケットデータにて構成されるエレメンタリストリーム形式の動画像データにおいて、データレートの変換を行うようになっている。
【００２０】
特に、本実施形態では、情報記録再生装置１００は、当該データレートが変換された動画像データを構築するためのＴＳパケットデータ（以下、変換後ＴＳパケットデータという。）を生成し、当該生成された各変換後ＴＳパケットデータを、ＴＳパケットデータが抽出されたＴＳデータに組み込むことによって、動画像データのデータレートの変換を行うようになっている。
【００２１】
また、本実施形態では、この情報記録性装置は、当該生成された各変換後ＴＳパケットデータを、ＴＳパケットデータが抽出されたＴＳデータに組み込む際に、ＤＶＤ１０またはＨＤ２０に記録されているストリームにおける動画像データも含む各パケットデータのデータ配列に関する特性を維持しつつ、当該変換後ＴＳパケットデータをＴＳデータに組み込むようになっている。
【００２２】
なお、以下の説明において、変換後ＴＳパケットデータが組み込まれたＴＳデータを変換後ＴＳデータといい、ＤＶＤ１０またはＨＤ２０に記録されているＴＳデータ（以下、単にＴＳデータという。）と区別して説明する。また、ＴＳデータ、ＴＳパケットデータのデータ構造の詳細については後述する。
【００２３】
このような動作を行う情報記録再生装置１００は、図１に示すように、アンテナＡＴを介して放送波を受信してＴＳデータに復調するＴＶ受信部１１０と、記録すべきＴＳデータの記録制御および当該記録されているＴＳデータの再生制御を行う記録再生制御部１２０と、コンテンツデータが記録されるＤＶＤ１０を装着するＤＶＤドライブ１３０と、ＴＳデータが記録されるＨＤ２０を有するＨＤドライブ１４０と、を有している。
【００２４】
また、この情報記録再生装置１００は、ＴＳデータの再生が実行される際に、ＴＳデータをＤＶＤ１０またはＨＤ２０から読み出し、当該読み出されたコンテンツデータを所定のデータ形式に復号するデコーダ１５０と、デコードされたデータをＮＴＳＣ信号に変換し、図示しないモニタなどの外部装置に出力するＮＴＳＣ変換部１６０と、出力する映像信号に対してＯＳＤ（On screen Display）処理を行うＯＳＤ処理部１７０と、を有している。
【００２５】
一方、この情報記録再生装置１００は、ＴＳデータを図示しない他の情報通信端末装置に転送するために、当該情報通信端末装置と通信回線を介して接続され、ＴＳデータその他のデータの送受信を行う通信制御部１８０と、ＴＳデータを転送する際に、当該ＴＳデータのデータレートを変換するデータレート変換部１９０と、を有している。
【００２６】
また、この情報記録再生装置１００は、コンテンツデータの記録および再生を行うために各種の設定操作を行う操作部２００と、各部を制御するシステム制御部２１０と、ＲＯＭ／ＲＡＭ２２０と、を有している。
【００２７】
なお、本実施形態のシステム制御部２１０は、バスＢを介して操作およびその他の部材と接続されている。また、本実施形態では、情報記録再生装置１００は、データレートが変換されたＴＳデータを他の情報通信端末装置に転送するようになっているが、当該ＴＳデータをＤＶＤ１０またはＨＤ２０に再記録するようにも構成されている。さらに、例えば、本実施形態のＴＶ受信部１１０は、本発明の取得手段を構成し、データレート変換部１９０は、本発明の抽出手段、生成手段、組み込み手段を構成する。
【００２８】
ＴＶ受信部１１０は、アンテナＡＴを介して各放送局から送信された放送波、例えば、ＢＳ（Broadcasting Satellite）デジタル放送などの所定のデジタル形式の放送波を受信するようになっており、ユーザによって選択された放送番組の放送番組データを抽出するようになっている。例えば、ＭＰＥＧ２の規格によって放送波が送信されている場合に、ＴＶ受信部１１０は、複数の放送番組データが多重化されている放送波からユーザによって選択された放送番組の放送番組データをＴＳデータとして抽出するようになっている。
【００２９】
また、このＴＶ受信部１１０は、記録制御部の制御に基づいて、抽出されたユーザの所望する放送番組データであるＴＳデータをＤＶＤドライブ１３０またはＨＤドライブ１４０に出力するようになっている。
【００３０】
なお、ＴＶ受信部１１０は、受信している放送波に放送時刻や放送時間などのコンテンツデータを管理するためのコンテンツ管理情報が付帯されている場合には、当該コンテンツ管理情報を信号波から検出して当該検出されたコンテンツ管理情報を、バスＢを介して記録制御部に出力するようになっている。また、このＴＶ受信部１１０において受信されるＴＳデータの詳細については、後述する。
【００３１】
記録再生制御部１２０には、バスＢを介して放送波から抽出されたコンテンツ管理情報が入力されるようになっており、この記録再生制御部１２０は、システム制御部２１０の制御の下、入力されたコンテンツ管理情報に基づいて、または、操作部２００を介して入力された指示に基づいて、ＤＶＤドライブ１３０またはＨＤドライブ１４０を制御し、ＤＶＤ１０またはＨＤ２０にＴＶ受信部１１０から出力されたＴＳデータをＤＶＤ１０またはＨＤ２０に記録させるようになっている。
【００３２】
また、記録再生制御部１２０は、システム制御部２１０の制御の下、ＤＶＤ１０またはＨＤ２０に記録されたコンテンツデータの再生制御を行うようになっており、操作部２００を介して指示されたコンテンツデータをＤＶＤ１０またはＨＤ２０から読み出す制御を行い、当該読み出されたコンテンツデータをデコーダ１５０およびＮＴＳＣ変換部１６０を介してモニタなどの図示しない外部装置に出力させるようになっている。
【００３３】
ＤＶＤドライブ１３０は、ＤＶＤ１０が着脱可能な構造を有するとともに、ＡＴＡＰＩ（AT Attachment Packet Interface）などの規格に準拠したＤＶＤ１０用ドライブインターフェースを有している。また、このＤＶＤドライブ１３０は、システム制御部２１０の制御の下、ＤＶＤ１０に記録するコンテンツデータまたはＤＶＤ１０から読み出すコンテンツデータのデータに関する入出力の切り換え、および、それに伴うＤＶＤ１０の記録再生の制御を行うようになっている。
【００３４】
具体的には、このＤＶＤドライブ１３０は、ＴＶ受信部１１０から出力されたＴＳデータをＤＶＤ１０に記録するとともに、ＤＶＤ１０に記録されているＴＳデータを当該ＤＶＤ１０から読み出し、当該読み出されたＴＳデータをデコーダ１５０に出力するようになっている。
【００３５】
ＨＤドライブ１４０は、内部にＨＤ２０を有するとともに、ＡＴＡＰＩなどの規格に準拠したＨＤ２０用ドライブインターフェースを有しており、システム制御部２１０の制御の下、ＤＶＤドライブ１３０と同様に、ＨＤ２０に記録するコンテンツデータまたはＨＤ２０から読み出すコンテンツデータのデータに関する入出力の切り換え、および、それに伴うＨＤ２０の記録再生の制御を行うようになっている。
【００３６】
デコーダ１５０には、ＤＶＤ１０またはＨＤ２０に記録されたコンテンツデータの再生が実行される際に、ＤＶＤ１０およびＨＤ２０から読み出され、トランスポートストリーム形式のコンテンツデータであるＴＳデータが入力されるようになっている。また、このデコーダ１５０は、再生制御部の制御の下、入力されたＴＳデータを音声データと映像データに分離するとともに、これらの各データに対してデコード処理など所定の処理を行うことによって、コンテンツデータにおける映像データおよび音声データを生成するようになっている。そして、このデコーダ１５０は、当該生成された映像データおよび音声データをＮＴＳＣ変換部１６０に出力するようになっている。
【００３７】
ＮＴＳＣ変換部１６０には、デコードされた映像データおよび音声データと、ＯＳＤ処理部１７０によって生成された表示データと、が入力されるようになっている。また、このＮＴＳＣ変換部１６０は、入力された映像データおよび音声データをＮＴＳＣ形式の信号形式に変換し、当該変換された映像信号に対して入力された表示データを重畳するようになっている。そして、このＮＴＳＣ変換部１６０は、表示データが多重化された映像信号および信号形式が変換された音声信号を映像信号出力端子Ｔ１および音声信号出力端子Ｔ２を介して接続された外部装置に出力するようになっている。
【００３８】
なお、例えば、本実施形態では、音声を拡声する機能を有するモニタが外部装置として接続されるようになっており、ＮＴＳＣ変換から出力された映像信号または音声信号は、当該モニタによって拡声され、および、表示させるようになっている。
【００３９】
ＯＳＤ処理部１７０は、システム制御部２１０の制御の下、文字情報等の外部装置に出力される映像信号に対して多重化するための表示データを生成し、当該生成された文字情報などの表示データをＮＴＳＣ変換に出力するようになっている。
【００４０】
通信制御部１８０は、通信回線を介して図示しない他の情報通信端末装置と接続されており、ＤＶＤ１０またはＨＤ２０に記録されているＴＳデータを所定の通信形式により当該情報通信端末装置に送信するようになっている。
【００４１】
具体的には、この通信制御部１８０には、ＤＶＤ１０またはＨＤ２０に記録されているＴＳデータの外部装置への転送を行う処理（以下、転送処理という。）を行う際に、後述のようにデータレートが変換された変換後ＴＳデータが入力されるようになっている。また、この通信制御部１８０は、入力された変換後ＴＳデータをＩＥＥＥ１３９４規格に準拠する通信方式に従って、接続された情報通信端末装置にデータ形式が変換されたＴＳデータを転送するようになっている。
【００４２】
データレート変換部１９０には、ＴＳデータの転送処理を行う際に、ＤＶＤ１０またはＨＤ２０に記録され、当該転送の対象となるＴＳデータが入力されるようになっており、このデータレート変換部１９０は、入力されたＴＳデータのデータレートを変換し、当該データレートが変換されたＴＳデータである変換後ＴＳデータを通信制御部１８０に出力するようになっている。
【００４３】
具体的には、データレート変換部１９０は、入力されたＴＳデータから動画像データを構築すべきＴＳパケットデータを抽出するとともに、抽出されたＴＳパケットデータにて構成される動画像データのレートの変換処理（以下、レート変換処理という。）を行うことによって、変換後ＴＳパケットデータを生成するようになっている。そして、このデータレート変換部１９０は、生成された各変換後ＴＳパケットデータを、各パケットデータのデータ配列に関する特性を維持しつつ、生成された変換後ＴＳパケットデータを基のＴＳデータに組み込む処理、すなわち、ＴＳデータを再構成する処理（以下、再構成処理という。）を行うようになっている。
【００４４】
また、このデータレート変換部１９０は、上述と同様に、ＤＶＤ１０またはＨＤ２０に記録されているＴＳデータのデータレートを変換し、当該データレートが変換されたＴＳデータをＤＶＤ１０またはＨＤ２０に再記録するようになっている。
【００４５】
なお、本実施形態におけるデータレート変換部１９０の構成およびその動作の詳細については、後述する。
【００４６】
操作部２００は、各種確認ボタン、選択ボタンおよび数字キー等の多数のキーを有するリモートコントロール装置および当該リモートコントロール装置から送信された信号を受光する受光部、または、各種確認ボタン、選択ボタンおよび数字キー等の多数のキーを有する操作パネルにより構成されている。そして、この操作部２００は、ＴＳデータの記録または再生を行う際の各種の指示、および、ＤＶＤ１０またはＨＤ２０に記録されているＴＳデータの他の情報通信端末装置への転送指示のために用いられるようになっている。
【００４７】
システム制御部２１０は、ＲＯＭ／ＲＡＭ２２０に格納される制御プログラムを読み出して各処理を実行するとともに、当該ＲＯＭ／ＲＡＭ２２０に処理中のデータを一時的に保持することによって、ＤＶＤ１０またはＨＤ２０にＴＳデータを記録するための記録処理、ＤＶＤ１０またはＨＤ２０からＴＳデータを再生するための再生処理、および、ＤＶＤ１０またはＨＤ２０に記録されているＴＳデータにおける後述するレート変換処理を含む記録されているＴＳデータの他の情報通信端末装置への転送を行う処理（以下、転送処理という。）の制御を行うようになっている。
【００４８】
なお、本実施形態のシステム制御部２１０におけるレート変換処理を含む転送処理の詳細については後述する。
【００４９】
次に、図２および図３を用いて本実施形態のＴＶ受信部１１０において出力されたＴＳデータについて説明する。
【００５０】
なお、図２は、ＭＰＥＧ形式のＴＳデータにおけるデータ構造の一例であり、図３は、ＭＰＥＧ形式のＴＳパケットデータのデータ構造の一例である。
【００５１】
通常、ＭＰＥＧ方式における動画像データの各画像は、Ｉピクチャ、Ｂピクチャ、Ｐピクチャのピクチャと呼ばれる画像データによって表され、Ｉピクチャを基準として他の画像との差分によりＭＰＥＧ形式のデータにエンコード（予測符号化）されるようになっている。
【００５２】
本実施形態において、ＭＰＥＧ方式のトランスポートストリーム形式のデータであるＴＳデータは、図２に示すように、Ｉピクチャ、Ｂピクチャ、Ｐピクチャからなる動画像データのみから構築されるエレメンタリストリームデータ（以下、ＥＳデータともいう。）の他に、オーディオデータおよび再生制御データなどの各エレメンタリデータによって多重化されている。特に、動画像データのＥＳデータは、各ピクチャ毎に、当該ＥＳデータのセルパケットのデータであるＰＥＳ（Packetized Element Stream）パケットのデータ（以下、ＰＥＳパケットデータという。）Ｐにて構成される。そしてこのＰＥＳパケットデータＰは、さらに固定長のデータ長のＴＳパケットデータによって構成され、オーディオデータなどの他のＴＳパケットデータとともに多重化することによってＴＳデータを構成するようになっている。
【００５３】
具体的には、このＴＳデータは、図２に示すように、ＴＳデータを再生する際に必要となるインフォメーションパケットデータ（以下、Ｉパケットデータともいう。）Ｄ１０と、動画像データを構築するためのビデオパケットデータＤ２０と、当該動画像データに付随するオーディオデータを構築するためのオーディオパケットデータＤ３０と、によって構成されており、このＩパケットデータＤ１０は、ビデオパケットデータＤ２０などのＴＳデータを構成するＴＳパケットデータの種別をパケット識別情報（以下、パケットＩＤともいう。）にて管理するための情報を有している。
【００５４】
なお、図２において、「Ｉ」とは、Ｉパケットデータ、「Ｖ」とは、ビデオパケットデータＤ２０、および、「Ａ」とは、ビデオパケットデータを示す。
【００５５】
また、動画像データにおけるＥＳデータの纏まり毎に、例えば、ＭＰＥＧ方式のＴＳデータの場合にはＧＯＰ（Group Of Picture）毎に、トランスポートストリーム形式のデータ上にて認識可能なシーケンスヘッダコード（以下、ＳＨＣ（Sequence Header Code）という。）が動画像データの再生を行う上で基準となる基準情報として配されている。
【００５６】
一方、ビデオパケットデータは、図３に示すように、ヘッダ領域Ａ１０と、各ＴＳパケットデータを制御するための各種のデータが記憶される制御データ領域Ａ２０と、付加情報が記憶される付加情報領域Ａ３０と、動画像データなどの実データが記憶される実データ領域４０と、から構成される。
【００５７】
この制御データ領域Ａ２０には、当該ＴＳパケットからの各ピクチャの開始を示すユニット開始表示データと、当該ＴＳパケットデータの識別を行うための識別データと、付加情報の有無および実データの有無を示す付加情報制御データと、ＴＳパケットデータの的確な受信をサポートするためのカウンタデータと、その他の情報を有する他情報と、が記憶されるようになっている。
【００５８】
特に、ユニット開始表示データは、当該動画像データにおけるＥＳデータの一の纏まりの先頭、すなわち、動画データにおけるＩピクチャの先頭を示すコードデータとして当該Ｉピクチャの先頭のビデオパケットデータＤ２０における実データ領域４０に記憶されている。
【００５９】
また、各ピクチャにおけるＴＳパケットデータにおいて、各ピクチャの先頭のＴＳパケットデータには、ＴＳデータがコンテンツデータとして再生される際に、各ピクチャの再生出力の時刻管理を行うＰＴＳ（Presentation Time Stamp）情報および復号時刻の時刻管理を行うＤＴＳ（Decoding Time Stamp）情報が記憶されており、本実施形態では、後述するように、ユニット開始表示データに基づいて、実データに当該時刻情報が記憶されていることが検出されるようになっている。
【００６０】
次に、図４〜図６を用いて本実施形態におけるデータレート変換部１９０の詳細について説明する。
【００６１】
なお、図４は、本実施形態のデータレート変換部１９０におけるレート変換処理を説明するための図であり、図５は、本実施形態におけるデータレート変換部１９０の構成を示すブロック図である。また、図６は、本実施形態の再構成処理部１９６におけるレート変換処理の一つとして行われるＴＳデータの再構成処理を説明するための図である。
【００６２】
本実施形態のデータレート変換部１９０は、図４に示すように、ＴＳデータにおけるＰＴＳ情報およびＤＴＳ情報の各時刻の情報（以下、時刻情報という。）を維持しつつ、すなわち、ピクチャ構造を変更せずに、当該ＴＳデータからビデオパケットデータＤ２０を抽出し、各ビデオパケットデータＤ２０にて構築されるＥＳデータ上にてデータレートの変換を行うようになっている。そして、このデータレート変換部１９０は、変換されたＥＳデータをＴＳパケットデータに戻しつつ、各時刻情報に基づいてＴＳデータを再構成するようになっている。
【００６３】
なお、図２と同様に、図４において、「Ｉ」とは、Ｉパケットデータ、「Ｖ」とは、ビデオパケットデータＤ２０、および、「Ａ」とは、ビデオパケットデータを示す。
【００６４】
本実施形態のデータレート変換部１９０は、上述のようなＴＳデータ、ＥＳデータおよびＴＳパケットデータの各データ構成に基づいて、
（１）ＴＳデータの処理基準時、すなわち、ＴＳデータが再生される際の一のデータの纏まりとして、すなわち、ピクチャ毎に当該ＴＳデータ上の先頭を認識すること、
（２）ＴＳパケットデータの属性、すなわち、各ピクチャのデータであるＰＥＳパケットデータＰを構築するためのビデオパケットデータＤ２０を識別すること、
（３）ＴＳパケットデータの特性として、ビデオパケットデータＤ２０における時刻情報、すなわち、ＴＳデータが再生される際の各ピクチャの再生管理を行うための時刻情報を認識すること、
（４）ビデオパケットデータＤ２０にて搬送される動画像データのデータ容量を認識すること、
（５）識別されたデータまたは認識された情報に基づいて、ＴＳデータがコンテンツデータとして再生される際に用いられる時刻情報を維持しつつ、ＴＳパケットデータにて構築される動画像データをＥＳデータにてデータレートを変換すること、および
（６）変換されたＥＳデータをＴＳパケットデータとして基のＴＳデータに組み込むこと、
を行い、ＴＳデータの属性および特性を維持しつつ、動画像データのデータレートの変換を行うようになっている。
【００６５】
具体的には、本実施形態のデータレート変換部１９０は、図５に示すように、ＴＳデータをＴＳパケット毎に出力するデータ入力処理部１９１と、各ＴＳパケットデータの属性および特性を検出するパケット属性検出部１９２と、各ＴＳパケットデータに記憶されている動画像データを抽出して取得するデータ取得部１９３と、を有している。
【００６６】
また、このデータレート変換部１９０は、入力されたＴＳデータ、当該ＴＳデータから取得された動画像データのレート変換を行う上で必要なデータを格納するデータ格納部１９４と、取得された動画像データをＥＳデータとしてデータレートの変換を行うレート変換処理部１９５と、変換されたＥＳデータをＴＳパケットデータに分解しつつ、動画像データを基のＴＳデータに組み込み、ＴＳデータを再構成する再構成処理部１９６と、を備えている。
【００６７】
なお、例えば、本実施形態のパケット属性検出部１９２およびデータ取得部１９３は、本発明の抽出手段を構成し、レート変換処理部１９５は、本発明の生成手段を構成する。また、例えば、本実施形態のストリーム再構成手段は、本発明の組み込み手段を構成する。
【００６８】
データ入力処理部１９１には、ＤＶＤ１０またはＨＤ２０から読み出されたＴＳデータが入力されるようになっており、このデータ入力処理部１９１は、入力されたＴＳデータの当該ＴＳデータ上の区切り、すなわち、基準となる情報（以下、基準情報という。）を検出し、検出された基準情報をシステム制御部２１０にバスＢを介して出力するようになっている。
【００６９】
また、データ入力処理部１９１は、入力されたＴＳデータをＴＳパケットデータ毎に、パケット属性検出部１９２、データ取得部１９３およびデータ格納部１９４に出力するようになっている。
【００７０】
具体的には、本実施形態のデータ入力処理部１９１は、検出された基準情報に基づいてデータレート変換部１９０の各部を制御するために、入力されたトランスポートストリーム形式のデータ上にて認識可能な基本情報を検出し、当該検出されたＳＨＣのＴＳデータ上の位置を基準として、検出されたＳＨＣをシステム制御部２１０に出力するようになっている。
【００７１】
例えば、本実施形態のデータ入力処理部１９１は、ＭＰＥＧ形式の場合には、上述のように、ＳＨＣを基準情報として検出し、当該ＳＨＣをデータレート変換部１９０における各部の処理タイミングの基準としてシステム制御部２１０に出力するようになっている。
【００７２】
一方、データ入力処理部１９１は、入力されたＴＳデータをＴＳパケットデータ毎に、パケット属性検出部１９２、データ取得部１９３およびデータ格納部１９４に出力するようになっている。なお、入力されたＴＳデータ、すなわち、データレート変換前のＴＳデータを当該ＴＳデータのデータ形式を維持しつつ、変換前のＴＳデータとして当該データ格納部１９４に保持させるために、このデータ入力処理部１９１は、データ格納部１９４に各ＴＳパケットデータを出力するようになっている。
【００７３】
パケット属性検出部１９２には、データ入力処理部１９１から出力されたＴＳパケットデータがＴＳパケットデータ毎に入力されるようになっている。また、このパケット属性検出部１９２は、入力されたＴＳパケットデータの属性を検出することによって、当該入力されたＴＳパケットデータがビデオパケットデータＤ２０であるか否かを検出するようになっている。そして、このパケット属性検出部１９２は、当該当該入力されたＴＳパケットデータがビデオパケットデータＤ２０の場合には、当該ビデオパケットデータＤ２０の特性を検出し、当該ＴＳパケットデータの属性を示す属性情報ともに、検出された特性を特性情報としてデータ格納部１９４にバスＢを介して出力するようになっている。
【００７４】
具体的には、本実施形態のパケット属性検出部１９２は、入力されたＴＳパケットデータの属性に基づいて、当該入力されたＴＳパケットデータがＴＳデータに含まれる再生制御データにおけるＴＳパケットデータ、すなわち、ＩパケットデータＤ１０であるか、または、その他のＴＳパケットデータであるかの検出処理（以下、属性検出処理という。）を行い、当該入力されたパケットデータの属性を属性情報としてデータ格納部１９４に出力するようになっている。そして、このパケット属性検出部１９２は、入力されたＴＳパケットデータがＩパケットデータＤ１０の場合には、当該制御データにおいて認識可能なビデオパケットデータＤ２０のストリーム上における配置位置の解析処理（以下、データ解析処理という。）を行うようになっている。
【００７５】
例えば、本実施形態のパケット属性検出部１９２は、上述の図３に示されるように、にＴＳパケットデータに含まれる識別データを取得し、当該取得された識別データに基づいてＩパケットかその他のパケットを識別することによって属性検出処理を行うようになっている。また、本実施形態のパケット属性検出部１９２は、属性検出処理において検出されたＩパケットデータＤ１０にて再生制御データを構築するとともに、当該再生制御データによって管理可能なビデオパケットデータＤ２０のパケットＩＤを取得するデータ解析処理を行うようになっている。
【００７６】
一方、このパケット属性検出部１９２は、入力されたＴＳパケットデータがＩパケットデータＤ１０でない場合には、当該解析されたビデオパケットデータＤ２０の配置位置に基づいて、当該入力されたＴＳパケットがビデオパケットデータＤ２０であるか否かの検出処理（以下、ビデオパケット検出処理という。）を行うようになっている。そして、このパケット属性検出部１９２は、ビデオパケットデータＤ２０として検出されたＴＳパケットデータの制御データ領域Ａ２０に記録されているユニット開始表示データに基づいてＰＴＳ情報およびＤＴＳ情報の時刻情報の有無を検出するようになっている。また、このパケット属性検出部１９２は、入力されたＴＳパケットデータがビデオパケットである場合に、入力されたＴＳパケットデータにおける制御データ領域Ａ２０に記憶されている付加制御情報に基づいて、当該ＴＳパケットデータに付加情報が記憶されているか否かを判断し、実データのデータ容量の検出するビデオパケット解析処理を行うようになっている。
【００７７】
また、このビデオパケット解析処理時に、パケット属性検出部１９２は、入力されたビデオパケットデータＤ２０における時刻情報の有無が検出された場合には、当該ＴＳパケットデータが保持する画像データが各ピクチャの先頭データである情報（以下、先頭情報という。）、および、検出された実データの容量の情報（以下、容量情報という。）を特性情報としてデータ格納部１９４に出力するようになっている。
【００７８】
なお、通常、ＭＰＥＧ方式のＴＳデータにおいては、ＴＳパケットデータは、常に一定のデータ量、すなわち、１８８バイトのデータ量を有するので、付加情報の有無によって実データのデータ量が変換する。したがって、本実施形態のパケット属性検出部１９２は、付加情報の有無に基づいて実データのデータ容量を検出することができるようになっている。
【００７９】
他方、このパケット属性検出部１９２は、上述の属性検出処理、データ解析処理およびビデオパケット検出処理に基づいて検出された入力されたＴＳパケットデータにおける属性、ＩパケットデータＤ１０、ビデオパケットデータＤ２０、または、オーディオパケットデータＤ３０の種別を示す属性情報をデータ格納部１９４に出力するようになっている。
【００８０】
データ取得部１９３には、入力処理部から出力されたＴＳパケットデータが入力されるようになっており、このデータ取得部１９３は、後述するようにデータ格納部１９４を介して当該入力されたＴＳパケットデータにおける属性情報および特性情報を取得するようになっている。また、このデータ取得部１９３は、取得された属性情報および特性情報に基づいて、ビデオパケットデータＤ２０における実データ領域４０に記憶されている動画像データを構築する部分のデータ（以下、部分動画像データという。）を抽出し、当該抽出された部分動画像データをデータ格納部１９４に出力するようになっている。
【００８１】
具体的には、このデータ取得部１９３は、システム制御部２１０の制御の下、入力されたＴＳパケットデータにおける属性情報および取得情報を取得し、入力されたＴＳパケットデータがビデオパケットであるか否かの判別を行うようになっている。また、このデータ取得部１９３は、当該入力されたＴＳパケットデータがビデオパケットデータＤ２０である場合に、当該取得された特性情報によって示される実データの容量に基づいて各ピクチャの動画像データの一部である部分動画像データを実データとして抽出するようになっている。
【００８２】
データ格納部１９４には、ＴＳパケットデータ毎に、パケット属性検出部１９２から出力された各ＴＳパケットデータにおける属性情報および特性情報と、データ取得部１９３から出力された各ＴＳパケットデータの実データが入力されるようになっている。このデータ格納部１９４は、システム制御部２１０の制御の下、入力された属性情報および特性情報をＴＳパケットデータ毎に内部に格納するとともに、実データである部分動画像データに基づいて動画像データにおけるＥＳデータを生成しつつ、内部に格納するようになっている。また、このデータ格納部１９４は、後述するように、レート変換が実行される際に、格納されているＥＳデータが読み出され、レート変換処理部１９５、解析データ処理部および再構成処理部１９６に出力するようになっている。
【００８３】
一方、このデータ格納部１９４には、システム制御部２１０の制御の下、後述のように、データレートが変換されたＥＳデータ（以下、変換後ＥＳデータという。）およびＴＳデータが再構成された変換後ＴＳデータが入力されるようになっており、入力された変換後ＥＳデータおよび変換後ＴＳデータが上述の変換前のＥＳデータおよび変換前のＴＳデータとは別に内部に格納されるようになっている。そして、このデータ格納部１９４は、転送処理が行なわれる際に、システム制御部２１０の制御の下、変換後ＴＳデータを内部から読み出し、通信制御部１８０に出力するようになっている。
【００８４】
レート変換処理部１９５は、システム制御部２１０の制御の下、データ格納部１９４に一定量のＥＳデータが格納されると、データ格納部１９４に格納されているＥＳデータおよび当該エレメントデータに属するＴＳパケットデータの特性情報を読み出し、読み出された特性情報を維持しつつ、読み出されたエレメントデータ、すなわち、動画像データのデータレートを変換するようになっている。そして、このレート変換処理部１９５は、データレートが変換されたＥＳデータである変換後ＥＳデータを、再度、データ格納部１９４に記憶させるようになっている。
【００８５】
具体的には、レート変換処理部１９５は、システム制御部２１０の制御の下、レート変換処理を行っている際に、ユニット開始表示データが検出される毎に、時刻情報を維持しつつ、読み出されたエレメントデータに対してデータ圧縮する際の量子化ステップのビット数を低減させるクオンタイズスケールの変換を行うようになっている。
【００８６】
また、このとき、レート変換処理部１９５は、ＰＴＳおよびＤＴＳの時刻情報を変化させず、すなわち、ＥＳデータが構築されている各ピクチャのデータが異なるピクチャデータとしてデータレートの変換を禁止しつつ、ピクチャ毎にデータレートを変換し、当該データレートが変換された変換後ＥＳデータを生成するようになっている。
【００８７】
なお、本実施形態では、レート変換処理部１９５は、一纏まりのデータ群、例えば、一ＧＯＰ毎に、レート変換処理を行うようになっており、基本情報、例えば、ＳＨＣを検出することによって、一ＧＯＰ毎の区切りを検出し、ＥＳデータをレート変換するようになっている。
【００８８】
再構成処理部１９６は、データ格納部１９４に格納されている変換後ＥＳデータと変換前のＴＳデータとに基づいてデータレートが変換されたＴＳデータを再構成するようになっており、再構成されたＴＳデータである変換後ＴＳデータをデータ格納部１９４に格納させるようになっている。
【００８９】
具体的には、再構成処理部１９６は、図６に示すように、この再構成処理部１９６は、一纏まりの変換後ＴＳパケットデータが生成され、データ格納部１９４に格納された後に、当該レート変換の対象となっている当該一纏まりに該当する基のＴＳデータをＴＳパケットデータ毎にデータ格納部１９４から読み出し、当該読み出されたＴＳパケットデータがビデオパケットデータＤ２０であるか否かを検出するようになっている。
【００９０】
また、この再構成処理部１９６は、読み出されたＴＳパケットデータがビデオパケットデータＤ２０である場合には、データ格納部１９４から当該一纏まりに該当する変換後ＥＳデータを読み出し、当該読み出されたＥＳデータを変換後ＴＳパケットデータに分割しつつ、基のＴＳデータ上の所定の位置に変換後ＴＳパケットデータを組み込むようになっている。
【００９１】
このとき、再構成処理部１９６は、データ格納部１９４から読み出された変換後ＥＳデータを順次、所定の固定長となるＴＳパケットデータに分割し、分割されたＴＳパケットデータを基のＴＳデータにおける当該ビデオパケットデータＤ２０の時刻情報が同一の位置に組み込む、すなわち、当該基のＴＳデータにおけるビデオパケットデータＤ２０を時刻情報が同一な変換後ＴＳパケットデータに置き換えるようになっている。
【００９２】
ただし、この再構成処理部１９６は、ＴＳパケットデータの組み込みを、ピクチャ単位で行うようになっており、変換前のＴＳデータと、変換後のＴＳデータとでは、各ピクチャデータを構成する先頭のＴＳパケットデータのストリームデータ上の位置は変化させないようになっている。このため、この再構成処理部１９６は、基のＴＳデータにおいてビデオパケットデータＤ２０を検出した場合であっても、組み込むべきＴＳパケットデータがないときは、空のＴＳパケットデータを組み込むようになっている。また、この再構成処理部１９６は、変換後のＥＳデータにおける動画像データが固定長のＴＳパケットデータ全体に置き換えることができない場合には、すなわち、ＴＳパケットデータを満足するデータ量が無い場合には、組み込む動画像データ以外の部分を空のデータで埋めるスタッフィング処理を行うようになっている。
【００９３】
一方、この再構成処理部１９６は、読み出されたＴＳパケットデータがビデオパケットデータＤ２０以外のパケットデータである場合には、当該ＴＳパケットデータをそのまま保持するようになっている。
【００９４】
このように、本実施形態の再構成処理部１９６は、順次、基のＴＳデータに変換後ＴＳパケットデータを組み込み、変換後ＴＳデータを生成するようになっており、当該生成された変換後ＴＳデータをデータ格納部１９４に格納するようになっている。
【００９５】
なお、本実施形態の再構成処理部１９６は、空パケットを組み込み、または、スタッフィング処理を行う他に、パケットデータの通信エラー訂正を行うための巡回カウンタの書き換えなど、再構成されたＴＳデータがデータ構造上必要となる各データの訂正を行うようになっている。
【００９６】
なお、図２と同様に、図６において、「Ｉ」とは、Ｉパケットデータ、「Ｖ」とは、ビデオパケットデータＤ２０、および、「Ａ」とは、ビデオパケットデータを示す。
【００９７】
次に、図７を用いて、本実施形態におけるシステム制御部２１０のレート変換処理を含む転送処理について説明する。
【００９８】
なお、図７は、本実施形態におけるシステム制御部２１０の転送処理の動作を示すフローチャートである。
【００９９】
本動作では、転送処理開始後、ＴＳデータに対してレート変換処理を行いつつ、当該変換されたＴＳデータから順に他の情報通信端末装置に転送するものとして説明する。また、本動作では、ＨＤ２０に既にＴＳデータが記録されているものとし、当該ＨＤ２０に記録されたＴＳデータを通信回線によって接続された他の情報通信端末装置に転送するものとして説明する。なお、以下の説明では、ＭＰＥＧ方式のＴＳデータを用いて説明する。
【０１００】
まず、ユーザが操作部２００を操作することによって、ＨＤ２０に記録されたＴＳデータを他の情報通信端末装置に転送することを指示すると、システム制御部２１０は、当該指示を検出し（ステップＳ１１１）、通信制御部１８０を制御して通信回線を介して他の情報通信端末装置に接続する（ステップＳ１１２）。
【０１０１】
次いで、システム制御部２１０が、通信制御部１８０を介して他の情報通信端末装置からの転送可能の旨を受信すると（ステップＳ１１３）、当該システム制御部２１０は、ＨＤドライブ１４０およびデータレート変換部１９０を制御し、以下のレート変換処理を行う。
【０１０２】
まず、システム制御部２１０は、データ入力処理部１９１に入力されたＴＳデータにおける基本情報を検出したか否かの判断をさせる（ステップＳ１１４）。このとき、データ入力処理部１９１によって基本情報が検出された場合には、システム制御部２１０は、ステップ１１５の処理に移行する。例えば、ＴＳデータがＭＰＥＧ形式のＴＳデータの場合には、本実施形態のデータ入力処理部１９１は、上述のように、ＳＨＣを基準情報として検出する。
【０１０３】
なお、システム制御部２１０は、データ入力処理部１９１によって基本情報が検出されるまで、当該データ入力処理部１９１にステップＳ１１５の処理を繰り返させる。
【０１０４】
次いで、ステップＳ１１４の処理において、データ入力処理部１９１が基本情報を検出すると、システム制御部２１０は、当該データ入力処理部１９１に基本情報に後続する一のＴＳパケットデータをパケット属性検出部１９２、データ取得部１９３およびデータ格納部１９４に出力させる（ステップＳ１１５）。
【０１０５】
なお、このとき、データ格納部１９４は、入力された一のＴＳパケットデータを基のＴＳデータとして、順次内部に格納する。
【０１０６】
次いで、システム制御部２１０は、パケット属性検出部１９２に、入力された一ＴＳパケットデータに対して、属性検出処理、データ解析処理、ビデオパケット検出処理およびビデオパケット解析処理（以下、これらの処理をまとめてパケット処理という。）を行う（ステップＳ１１６）。
【０１０７】
なお、このとき、パケット属性検出部１９２は、後述するように、パケット処理の各処理において検出された属性情報と、先頭情報および容量情報からなる特性情報をデータ格納部１９４に記憶する。また、本実施形態におけるパケット属性検出部１９２におけるステップＳ１１７のパケット処理の詳細については、後述する。
【０１０８】
次いで、システム制御部２１０は、データ取得部１９３に、データ入力処理部１９１から出力された一のＴＳパケットデータにおける属性情報および特性情報に基づいて、ビデオパケットデータＤ２０に記憶されている部分動画像データを抽出させ、当該抽出された部分動画像データをデータ格納部１９４に出力させる（ステップＳ１１７）。
【０１０９】
具体的には、このデータ取得部１９３は、入力されたＴＳパケットデータにおける属性情報および取得情報を取得し、入力されたＴＳパケットデータがビデオパケットであるか否かの判別を行う。そして、このデータ取得部１９３は、当該入力されたＴＳパケットデータがビデオパケットデータＤ２０である場合に、当該取得された特性情報によって示される実データの容量に基づいて各ピクチャの動画像データの一部である部分動画像データを実データとして抽出する。
【０１１０】
次いで、データ格納部１９４は、部分動画像データが入力されると、当該部分動画像データにおけるＥＳデータを生成しつつ、内部に格納する（ステップＳ１１８）。
【０１１１】
次いで、システム制御部２１０は、データ入力処理部１９１に次のＴＳパケットデータの有無を検出させ（ステップＳ１１９）、当該データ入力処理部１９１が次のパケットデータが無いと判断した場合には、ステップＳ１２２の処理に移行する。
【０１１２】
一方、ステップＳ１１９の処理において、データ入力処理部１９１が次のＴＳケットデータが有ると判断した場合には、システム制御部２１０は、データ入力処理部１９１に次のデータが基本情報であるか否かを判断させる（ステップＳ１２０）。
【０１１３】
次いで、ステップＳ１２０の処理において、データ入力処理部１９１によって基本情報が検出された場合には、システム制御部２１０は、レート変換処理部１９５に上述の動作においてデータ格納部１９４に格納されている動画像データにおける一ＧＯＰのＥＳデータを読み出し、変換後ＥＳデータを生成させ（ステップＳ１２１）、ステップＳ１１５の処理に移行する。
【０１１４】
なお、このとき、レート変換処理部は、生成された変換後ＥＳデーをデータ格納部１９４に格納する。
【０１１５】
次いで、ステップＳ１１９の処理において、データ入力処理部１９１が次のパケットデータが無いと判断した場合には、システム制御部２１０は、レート変換処理部１９５にステップＳ１２１と同様に変換後ＥＳデータを生成させるとともに、再構成処理部１９６に、上述の動作においてデータ格納部１９４に格納されている各ＧＯＰの変換後ＥＳデータを読み出し、各ＧＯＰの変換後ＥＳデータと基のＴＳデータに基づいてＴＳデータを再構成、すなわち、変換後ＴＳデータを生成させる（ステップＳ１２２）。
【０１１６】
なお、本実施形態では、再構成処理部１９６は、再構成されたＴＳデータをデータ格納部１９４に格納する。また、ステップＳ１２２のデータレート変換部１９０におけるＴＳデータの再構成処理の詳細については、後述する。
【０１１７】
最後に、システム制御部２１０は、通信制御部１８０に動画像データにおけるＥＳデータの纏まり毎に、例えば、ＭＰＥＧ方式のＴＳデータの場合にはＧＯＰ毎に、データ格納部１９４からＴＳデータを読み出させ、通信回線を介して他の情報通信端末装置に出力させる（ステップＳ１２３）。
【０１１８】
次に、図８を用いて、本実施形態の転送処理におけるパケット属性検出部１９２のパケット処理について説明する。
【０１１９】
なお、図８は、本実施形態の転送処理におけるパケット属性検出部１９２のパケット処理の動作を示すフローチャートである。また、本動作は、上述のように、ＴＳパケットデータ毎に実行させるようになっている。
【０１２０】
まず、パケット属性検出部１９２は、一のＴＳパケットデータが入力されると、当該ＴＳパケットデータの属性検出処理を行い、入力されたパケットデータがＩパケットデータＤ１０であるか否かを検出する（ステップＳ２１１）。
【０１２１】
例えば、本実施形態のパケット属性検出部１９２は、上述の図３に示されるように、ＴＳパケットデータに含まれる識別データを取得し、当該取得された識別データに基づいてＩパケットデータＤ１０かその他のパケットデータかを識別することによって属性検出処理を行う。
【０１２２】
なお、パケット属性検出部１９２にて、当該判断が為されたときは、当該入力された一のＴＳパケットデータの属性情報をデータ格納部１９４に記憶する。
【０１２３】
次いで、ステップＳ２１１の処理において、パケット属性検出部１９２がＩパケットデータＤ１０であると判断した場合には、当該パケット属性検出部１９２は、他のＩパケットデータＤ１０とともに、当該ＩパケットデータＤ１０にて構築される再生制御データにおいて認識可能なビデオパケットデータＤ２０のストリーム上の配置位置を解析するデータ解析処理を行い（ステップＳ２１２）、本動作を終了させる。
【０１２４】
例えば、本実施形態のパケット属性検出部１９２は、属性検出処理において検出されたＩパケットデータＤ１０にて再生制御データを構築するとともに、当該再生制御データによって管理可能なビデオパケットデータＤ２０のパケットＩＤを取得するデータ解析処理を行う。
【０１２５】
なお、パケット属性検出部１９２は、ＩパケットデータＤ１０が不十分で解析処理が行えない場合には、当該Ｉパケットにおけるデータを保持しつつ、本動作を終了させる。
【０１２６】
一方、パケット属性検出部１９２がＩパケットデータＤ１０でないと判断した場合には、当該パケット属性検出部１９２は、ビデオパケット検出処理を行い（ステップＳ２１３）、ステップＳ２１２の処理において解析されたビデオパケットデータＤ２０の配置位置に基づいて、当該入力されたＴＳパケットがビデオパケットデータＤ２０であるか否かの判断を行う（ステップＳ２１４）。
【０１２７】
次いで、ステップＳ２１４の処理において、パケット属性検出部１９２が入力された一ＴＳパケットデータがビデオパケットデータＤ２０でないと判断した場合には、パケット属性検出部１９２は、当該入力された一のＴＳパケットデータの属性情報をデータ格納部１９４に記憶し（ステップＳ２１５）、本動作を終了させる。
【０１２８】
他方、ステップＳ２１４の処理において、パケット属性検出部１９２が入力された一ＴＳパケットデータがビデオパケットデータＤ２０であると判断した場合には、パケット属性検出部１９２は、ビデオパケット解析処理（ステップＳ２１６）を行い、時刻情報の有無を検出するとともに、付加情報の有無を検出し、属性情報とともに、先頭情報および容量情報を特性情報としてデータ格納部１９４に記憶し（ステップＳ２１７）、本動作を終了させる。
【０１２９】
次に、図９を用いて、本実施形態の転送処理におけるシステム制御部２１０の再構成処理について説明する。
【０１３０】
なお、図９は、本実施形態の転送処理における再構成処理部１９６の再構成処理の動作を示すフローチャートである。また、本処理は、上述のように、ＭＰＥＧ方式のＴＳデータを用いて説明する。
【０１３１】
まず、システム制御部２１０は、再構成処理部１９６に再構成処理を開始させ旨を指示すると（ステップＳ３１１）、当該再構成処理部１９６は、データ格納部１９４から対象となる基のＴＳデータの当該ＧＯＰにおける先頭に属するＴＳパケットデータまたはステップＳ３２０の処理の次に当該処理を行う場合には、前回読み出したＴＳパケットデータの次のＴＳパケットデータを読み出す（ステップＳ３１２）。
【０１３２】
次いで、再構成処理部１９６は、読み出されたＴＳパケットデータがビデオパケットデータＤ２０であるか否かを検出する（ステップＳ３１３）。具体的には、再構成処理部１９６は、読み出されたＴＳパケットデータにおける属性情報を、当該ＴＳパケットデータを解析することによって取得し、取得された属性情報に基づいて当該読み出されたＴＳパケットデータがビデオパケットデータＤ２０であるか否かを検出する。
【０１３３】
このとき、ステップＳ３１３の処理において、再構成処理部１９６が読み出されたＴＳパケットデータがビデオパケットデータＤ２０でないと判断した場合には、当該再構成処理部１９６は、ステップＳ３１８の処理に移行する。
【０１３４】
一方、ステップＳ３１３の処理において、再構成処理部１９６が読み出されたＴＳパケットデータがビデオパケットデータＤ２０であると判断した場合には、当該再構成処理部１９６は、データ格納部１９４に未だ読み出されていない変換後ＥＳデータがあるか否かを判断する（ステップＳ３１４）。
【０１３５】
次いで、ステップＳ３１４の処理において、再構成処理部１９６がデータ格納部１９４に未だ読み出されていない変換後ＥＳデータがあると判断した場合には、当該再構成処理部１９６は、読み出されたＴＳパケットデータにおけるユニット開始データの有無に基づいて組み込む対象となるＴＳパケットデータが、前回のステップＳ３１６の処理において生成されたＴＳパケットデータが属するピクチャと異なるピクチャであるか否かを判断する（ステップＳ３１５）。そして、ステップＳ３１５の処理において、再構成処理部１９６が、ユニット開始データがあること、すなわち、組み込む対象となるＴＳパケットデータが前回のステップＳ３１７の処理において生成されたＴＳパケットデータが属するピクチャと異なるピクチャであると判断した場合には、当該再構成処理部１９６は、ステップＳ３１８の処理に移行する。
【０１３６】
一方、ステップＳ３１５の処理において、再構成処理部１９６が、ユニット開始データがないことを判断した場合には、当該再構成処理部１９６は、未だ読み出されていない変換後ＥＳデータによって、一のＴＳパケットデータを生成することができるか否かを判断する（ステップＳ３１６）。
【０１３７】
次いで、ステップＳ３１６の処理において、再構成処理部１９６が未だ読み出されていない変換後ＥＳデータによって、一のＴＳパケットデータを生成することができると判断した場合には、当該再構成処理部１９６は、未だ読み出されていない変換後ＥＳデータによって一のＴＳパケットデータを生成する（ステップＳ３１７）。
【０１３８】
次いで、ステップＳ３１６の処理において、再構成処理部１９６が未だデータ格納部１９４から読み出されていない変換後ＥＳデータから一のＴＳパケットデータを生成することができないと判断した場合には、当該再構成処理部１９６は、変換ＥＳデータを読み出すとともにスタッフィング処理を行って、一のＴＳパケットデータを生成する（ステップＳ３１８）。
【０１３９】
他方、ステップＳ３１３の処理において、再構成処理部１９６がデータ格納部１９４に未だ読み出されていない変換後ＥＳデータがないと判断した場合、または、未だ読み出されていないＥＳデータが前回のステップＳ３１６の処理において生成されたＴＳパケットデータが属するピクチャと異なるピクチャであると判断した場合には、空データにより一のＴＳパケットデータを生成する（ステップＳ３１９）。
【０１４０】
次いで、再構成処理部１９６は、ステップＳ３１３の処理にて検出されたビデオパケットデータＤ２０が配されていた基のＴＳデータ上の位置に生成された変換後ＴＳパケットデータを組み込む（ステップＳ３２０）。
【０１４１】
このとき、再構成処理部１９６は、パケットデータの通信エラー訂正を行うための巡回カウンタの書き換えなど、再構成されたＴＳデータがデータ構造上必要となる各データの訂正を行う。
【０１４２】
次いで、再構成処理部１９６は、データ格納部１９４に格納され、対象となる基のＴＳデータの次のＴＳパケットデータの有無を判断し（ステップＳ３２１）、当該再構成処理部１９６が対象となる基のＴＳデータにおけるＧＯＰの次のＴＳパケットデータがないと判断した場合には、本動作を終了させる。
【０１４３】
一方、ステップＳ３２０の処理において、再構成処理部１９６が対象となる基のＴＳデータの次のＴＳパケットデータがあると判断した場合には、当該再構成処理部１９６は、データ格納部１９４から対象となる基のＴＳデータの次のＴＳパケットデータを読み出すため、ステップＳ３１２の処理に移行する。
【０１４４】
以上本実施形態よれば、情報記録再生装置１００は、圧縮符号化されている動画像データが他のデータとともに固定長パケットにて多重化されているＴＳデータの情報記録再生装置１００であって、ＴＳデータを取得するデータ入力処理部１９１と、取得されたＴＳデータから圧縮符号化されている動画像データに属する各ＴＳパケットデータを変換前ＴＳパケットデータとして抽出するパケット属性検出部１９２およびデータ取得部１９３と、抽出された各変換前ＴＳパケットデータによって構成される動画像データのデータレートを変換し、圧縮符号化されている動画像データのデータレートとは異なるデータレートを有する動画像データを構築するためのＴＳパケットデータを変換後ＴＳパケットデータとして生成するレート変換処理部１９５と、変換前ＴＳパケットデータが抽出される際の変換前ＴＳデータにおける各ＴＳパケットデータのデータ配列に関する特性を維持しつつ、各変換前ＴＳパケットデータが抽出された変換前ＴＳデータに対して、変換前ＴＳパケットデータに代えて生成された各変換後ＴＳパケットデータを組み込む再構成処理部１９６と、を備えた構成を有している。
【０１４５】
この構成により、本実施形態の情報記録再生装置１００は、取得されたＴＳデータから変換前ＴＳパケットデータとして抽出するとともに、抽出された各変換前ＴＳパケットデータによって構成される動画像データのデータレートを変換し、圧縮符号化されている動画像データのデータレートとは異なるデータレートを有する動画像データを構築するためのＴＳパケットデータを変換後ＴＳパケットデータとして生成する。そして、この情報記録再生装置１００は、変換前ＴＳパケットデータが抽出される際の変換前ＴＳデータにおける各ＴＳパケットデータのデータ配列に関する特性を維持しつつ、各変換前ＴＳパケットデータが抽出された変換前ＴＳデータに対して、変換前ＴＳパケットデータに代えて生成された各変換後ＴＳパケットデータを組み込む。
【０１４６】
したがって、本実施形態の情報記録再生装置１００は、変換前のＴＳデータにおける各ＴＳパケットデータのデータ配列に関する特性を維持しつつ、動画像データのデータレートを変換することができるので、各ＴＳパケットデータのデータ配列に関する特性を維持せずに動画像データのデータレートを変換する際に比べて、データレートが変換に要する処理時間を短縮することができる。また、本実施形態の情報記録再生装置１００は、ＴＳデータを再構成する際に、動画像データに関するＴＳパケットデータのみ基のデータと組み替えるので、簡易な構成によってデータレートの変換を行うことができる。
【０１４７】
また、本実施形態の情報記録再生装置１００は、レート変換処理部１９５が、圧縮符号化されている動画像データが復号化される際の復号化時刻または復号化され再生される際の再生時刻の少なくとも何れか一方の時刻を維持しつつ、各変換後ＴＳパケットデータを生成し、再構成処理部１９６が、ＴＳデータに対して生成された各変換後ＴＳパケットデータを組み込む際に、データ配列に関する特性として復号化時刻（ＤＴＳ）または再生時刻（ＰＴＳ）の少なくとも何れか一方の時刻情報を維持しつつ、生成された各変換後ＴＳパケットデータを組み込む構成を有している。
【０１４８】
この構成により、本実施形態の情報記録再生装置１００は、圧縮符号化されている動画像データが復号化される際の復号化時刻または復号化され再生される際の再生時刻の少なくとも何れか一方の時刻を維持しつつ、各変換後ＴＳパケットデータを生成し、ＴＳデータに対して生成された各変換後ＴＳパケットデータを組み込む際に、データ配列に関する特性として復号化時刻（ＤＴＳ）または再生時刻（ＰＴＳ）の少なくとも何れか一方の時刻情報を維持しつつ、生成された各変換後ＴＳパケットデータを組み込む。
【０１４９】
したがって、本実施形態の情報記録再生装置１００は、変換前のＴＳデータにおける各ＴＳパケットデータのデータ配列に関する時刻情報を維持しつつ、動画像データのデータレートを変換することができるので、的確にデータレートが変換された動画像データを基のＴＳデータに組み込むことができる。
【０１５０】
また、本実施形態の情報記録再生装置１００は、動画像データにおける復号化時刻（ＤＴＳ）または再生時刻（ＰＴＳ）の少なくとも何れか一方の時刻の情報を有する変換前ＴＳパケットデータと当該時刻の情報を有さない第１パケットデータがある場合に、再構成処理部１９６が、動画像データにおける復号化時刻（ＤＴＳ）または再生時刻（ＰＴＳ）の少なくとも何れか一方の時刻を有する変換後ＴＳパケットデータを、当該同時刻の復号化時刻（ＤＴＳ）または再生時刻（ＰＴＳ）の少なくとも何れか一方の時刻を有する変換前ＴＳパケットデータが配されているＴＳデータにおけるパケット位置に組み込む構成を有している。
【０１５１】
この構成により、本実施形態の情報記録再生装置１００は、圧縮符号化されている動画像データが復号化される際の復号化時刻または復号化され再生される際の再生時刻の少なくとも何れか一方の時刻を維持しつつ、各変換後ＴＳパケットデータを生成し、ＴＳデータに対して生成された各変換後ＴＳパケットデータを組み込む際に、データ配列に関する特性として復号化時刻（ＤＴＳ）または再生時刻（ＰＴＳ）の少なくとも何れか一方の時刻情報を維持しつつ、生成された各変換後ＴＳパケットデータを組み込む。
【０１５２】
したがって、本実施形態の情報記録再生装置１００は、変換前のＴＳデータにおける各ＴＳパケットデータのデータ配列に関する時刻情報を維持しつつ、動画像データのデータレートを変換することができるので、的確にデータレートが変換された動画像データを基のＴＳデータに組み込むことができる。
【０１５３】
また、本実施形態の情報記録再生装置１００は、再構成処理部１９６が、ＴＳデータに対して生成された各変換後ＴＳパケットデータを組み込む際に、ＴＳデータを構築する各パケットデータの属性、配列位置および配列順の少なくとも何れか一の特性を維持しつつ、生成された各変換後ＴＳパケットデータを組み込む構成を有している。
【０１５４】
この構成により、本実施形態の情報記録再生装置１００は、ＴＳデータに対して生成された各変換後ＴＳパケットデータを組み込む際に、ＴＳデータを構築する各パケットデータの属性、配列位置および配列順の少なくとも何れか一の特性を維持しつつ、生成された各変換後ＴＳパケットデータを組み込む。
【０１５５】
したがって、本実施形態の情報記録再生装置１００は、変換前のＴＳデータにおける各ＴＳパケットデータの属性、配列一または配列順に関するＴＳデータの特性を維持しつつ、動画像データのデータレートを変換することができる。
【０１５６】
また、本実施形態の情報記録再生装置１００は、再構成処理部１９６が、ＴＳデータに多重化されている他のデータにおけるＴＳパケットデータのデータ配列に関する特性を維持しつつ、生成された各変換後ＴＳパケットデータを組み込む構成を有している。
【０１５７】
したがって、本実施形態の情報記録再生装置１００は、変換前のＴＳデータにおける各ＴＳパケットデータのデータ配列に関する時刻情報を維持しつつ、動画像データのデータレートを変換することができるので、的確にデータレートが変換された動画像データを基のＴＳデータに組み込むことができる。
【０１５８】
なお、本実施形態では、パケット属性検出部１９２は、ユニット開始表示データを検出することによってＰＴＳ情報およびＤＴＳ情報の各時刻情報が実データに記憶されている旨を検出するようになっているが、例えば、ＭＰＥＧ方式のＴＳデータの場合には、各ピクチャ毎にＰＥＳパケットデータＰが構築されているので、ＴＳパケットデータの制御データにＰＥＳパケットデータＰの先頭を示すコードデータ（以下、ＰＥＳ開始コードという。）が記録されているため、本実施形態のパケット属性検出部１９２は、当該ＰＥＳ開始コードを、先頭を示すコードデータとして（以下、先頭データという。）検出することによってＰＴＳ情報およびＤＴＳ情報の時刻情報の有無を検出してもよい。このとき、ＰＥＳパケットデータＰの開始コード「０００００１Ｅ０」を検出するようになる。
【０１５９】
また、本実施形態では、再構成処理部１９６は、再構成処理において、変換後ＥＳデータをピクチャ毎に基のＴＳデータに組み込む際に、変換後ＥＳデータから生成された変換後ＴＳパケットデータを、ピクチャの先頭から順次、基のＴＳデータに組み込み、各ピクチャの後方のＴＳパケットデータに空データを組み込むようになっているが、予め定められたタイミングによって空データを組み込み、各ピクチャの後方のＴＳデータにからデータが集中しないようにしてもよい。
【０１６０】
この場合に、再構成処理部１９６は、変換前の各ピクチャのピクチャサイズ、すなわち、各ピクチャのデータ量と、変換後の各ピクチャのピクチャサイズに基づいて、各ピクチャのデータ量の比を算出し、当該算出された比に基づいて、分割されたＴＳパケットデータである変換後ＴＳパケットデータを変換前のＴＳデータに割り振るパターンを設定する。そして、当該設定されたパターンに基づいて変換後ＴＳパケットデータを組み込むようになる。
【０１６１】
また、本実施形態では、上述の情報記録再生装置１００によって、レート変換処理を含む転送処理を行うようになっている。しかしながら、上述のように、ＤＶＤドライブ１３０またはＨＤドライブ１４０有する情報記録再生装置１００にコンピュータを備え、このＤＶＤ１０またはＨＤ２０に上述の転送処理を行うプログラムを格納し、このコンピュータで当該プログラムを読み込むことによって上述と同様の転送処理を行うようにしてもよい。
【０１６２】
また、本実施形態の情報記録再生装置１００は、ＩＥＥＥ１３９４にて策定されている通信方式によってデータレートの変換された変換後ＴＳデータを他の情報通信端末装置に転送するようになっているが、勿論、その他の通信方式によって変換後ＴＳデータを他の情報通信端末装置に転送するようにしてもよい。
【図面の簡単な説明】
【０１６３】
【図１】本願に係る一実施形態に情報記録再生装置の構成を示すブロック図である。
【図２】一実施形態におけるＭＰＥＧ形式のＴＳデータにおけるデータ構造の一例である。
【図３】一実施形態におけるＭＰＥＧ形式のＴＳパケットデータのデータ構造の一例である。
【図４】一実施形態のデータレート変換部におけるレート変換処理を説明するための図である。
【図５】一実施形態におけるデータレート変換部の構成を示すブロック図である。
【図６】一実施形態の再構成処理部におけるレート変換処理の一つとして行われるＴＳデータの再構成処理を説明するための図である。
【図７】一実施形態におけるシステム制御部の転送処理の動作を示すフローチャートである。
【図８】一実施形態の転送処理におけるパケット属性検出部のパケット処理の動作を示すフローチャートである。
【図９】一実施形態の転送処理における再構成処理部の再構成処理の動作を示すフローチャートである。
【符号の説明】
【０１６４】
１０  …  ＤＶＤ
２０  …  ＨＤ
１００  …  情報記録再生装置
１１０  …  ＴＶ受信部
１２０  …  記録再生制御部
１３０  …  ＤＶＤドライブ
１４０  …  ＨＤドライブ
１５０  …  デコーダ
１６０  …  ＮＴＳＣ変換部
１７０  …  ＯＳＤ処理部
１８０  …  通信制御部
１９０  …  データレート変換部
１９１  …  データ入力処理部
１９２  …  パケット属性検出部
１９３  …  データ取得部
１９４  …  データ格納部
１９５  …  レート変換処理部
１９６  …  再構成処理部
２００  …  操作部
２１０  …  システム制御部
２２０  …  ＲＯＭ／ＲＡＭ
【図１】
2006140632.tif 000003
【図２】
2006140632.tif 000004
【図３】
2006140632.tif 000005
【図４】
2006140632.tif 000006
【図５】
2006140632.tif 000007
【図６】
2006140632.tif 000008
【図７】
2006140632.tif 000009
【図８】
2006140632.tif 000010
【図９】
2006140632.tif 000011